(57)【要約】【課題】従来のデジタル一眼レフカメラ等では、撮影の結果得られた写真等を、撮影を要求した装置に送信することができなかった。【解決手段】第一端末装置と、第二端末装置とを具備する撮影システムであって、第一端末装置は、撮影を要求する指示である撮影要求指示が格納される撮影要求指示格納部と、撮影要求指示格納部に格納されている撮影要求指示を第二端末装置に送信する第一送信部とを具備し、第二端末装置は、撮影要求指示を受信する第二受信部と、撮影し、撮影結果情報を取得する撮影部と、撮影部が取得した撮影結果情報を送信する第二送信部とを具備する撮影システムにより、撮影の要求を受信し、当該要求に応じて撮影し、当該撮影の結果得られた写真等を、撮影を要求した装置に送信することができる。【選択図】図１
2014022807.tif 000002
【特許請求の範囲】
【請求項１】
第一端末装置と、第二端末装置とを具備する撮影システムであって、
前記第一端末装置は、
撮影を要求する指示である撮影要求指示が格納される撮影要求指示格納部と、
前記撮影要求指示を前記第二端末装置に送信する第一送信部とを具備し、
前記第二端末装置は、
撮影要求指示を受信する第二受信部と、
撮影し、撮影結果情報を取得する撮影部と、
前記撮影部が取得した撮影結果情報を送信する第二送信部とを具備する撮影システム。
【請求項２】
前記第一送信部は、
前記撮影要求指示を、自動的に送信する請求項１記載の撮影システム。
【請求項３】
前記撮影要求指示格納部には、
前記第一端末装置を識別する装置識別子を有する撮影要求指示が格納され、
前記第二送信部は、
前記撮影部が取得した撮影結果情報を、前記第二受信部が受信した撮影要求指示が有する装置識別子と対応付けて、サーバ装置に送信し、
前記第一端末装置は、
前記装置識別子が対応付いている撮影結果情報を、前記サーバ装置から受信する第一受信部をさらに具備する請求項１または請求項２記載の撮影システム。
【請求項４】
前記第二送信部は、
前記撮影部が取得した撮影結果情報を、前記撮影要求指示を送信してきた第一端末装置に送信し、
前記第一端末装置は、
前記第二端末装置から送信された撮影結果情報を受信する第一受信部をさらに具備する請求項１または請求項２記載の撮影システム。
【請求項５】
前記第二端末装置は、
一の撮影に対する料金を示す情報である料金情報が格納される料金情報格納部と、
前記第二受信部が撮影要求指示を受信した場合に、前記料金情報格納部に格納されている料金情報を用いて課金処理を行う課金処理部とをさらに具備する請求項１から請求項４いずれか記載の撮影システム。
【請求項６】
前記第二端末装置は、
撮影時の状況に関する条件であり、撮影するか否かを判断するための条件である撮影可否判断条件が格納される撮影条件格納部と、
撮影時の状況を示す撮影時状況情報を取得する撮影時状況情報取得部と、
前記撮影時状況情報取得部が取得した撮影時状況情報が、前記撮影条件格納部に格納されている撮影可否判断条件に合致するか否かを判断する撮影判断部とをさらに具備し、
前記撮影部は、
前記撮影判断部が合致すると判断した場合に撮影し、撮影結果情報を取得する請求項１から請求項５いずれか記載の撮影システム。
【請求項７】
前記第二端末装置は、
撮影時の状況に関する条件であり、撮影時の属性を選択するための条件である撮影時属性選択条件と、撮影時の属性を示す撮影時属性情報とを有する１以上の撮影時属性管理情報が格納される撮影条件格納部と、
撮影時の状況を示す撮影時状況情報を取得する撮影時状況情報取得部と、
前記撮影時状況情報取得部が取得した撮影時状況情報が、前記撮影条件格納部に格納されている１以上の撮影時属性管理情報が有する撮影時属性選択条件のいずれに合致するか否かを判断する撮影判断部と、
前記撮影判断部が合致すると判断した撮影時属性選択条件に対応する撮影時属性情報を、前記撮影条件格納部から取得する第二属性情報取得部とをさらに具備し、
前記撮影部は、
前記第二属性情報取得部が取得した撮影時属性情報に従い撮影し、撮影結果情報を取得する請求項１から請求項５いずれか記載の撮影システム。
【請求項８】
前記第一端末装置は、
撮影要求指示の送信時の状況に関する条件であり、撮影要求指示を送信するか否かを判断するための条件である送信可否判断条件が格納される送信条件格納部と、
撮影要求指示の送信時の状況を示す送信時状況情報を取得する送信時状況情報取得部と、
前記送信時状況情報取得部が取得した送信時状況情報が、前記送信条件格納部に格納されている送信可否判断条件に合致するか否かを判断する送信判断部とをさらに具備し、
前記第一送信部は、
前記送信判断部が合致すると判断した場合に前記撮影要求指示格納部に格納されている撮影要求指示を送信する請求項１から請求項７いずれか記載の撮影システム。
【請求項９】
前記第一端末装置は、
撮影要求指示の送信時の状況に関する条件であり、撮影時の属性を選択するための条件である撮影時属性選択条件と、撮影時の属性を示す撮影時属性情報とを有する１以上の撮影時属性管理情報が格納される送信条件格納部と、
撮影要求指示の送信時の状況を示す送信時状況情報を取得する送信時状況情報取得部と、
前記送信時状況情報取得部が取得した送信時状況情報が、前記送信条件格納部に格納されている１以上の撮影時属性管理情報が有する撮影時属性選択条件のいずれに合致するか否かを判断する送信判断部と、
前記送信判断部が合致すると判断した撮影時属性選択条件に対応する撮影時属性情報を、前記送信条件格納部から取得する第一属性情報取得部とをさらに具備し、
前記第一送信部は、
前記第一属性情報取得部が取得した撮影時属性情報を有する撮影要求指示を送信し、
前記撮影部は、
前記第二受信部が受信した撮影要求指示が有する撮影時属性情報に従い撮影し、撮影結果情報を取得する請求項１から請求項７いずれか記載の撮影システム。
【請求項１０】
前記撮影要求指示格納部には、
撮影時の属性を示す撮影時属性情報を有する撮影要求指示が格納され、
前記撮影部は、
前記第二受信部が受信した撮影要求指示が有する撮影時属性情報に従い撮影し、撮影結果情報を取得する請求項１から請求項７いずれか記載の撮影システム。
【請求項１１】
前記第一端末装置は、
第一の移動体に設置され、
前記第二端末装置は、
第二の移動体に設置される請求項１から請求項１０いずれか記載の撮影システム。
【請求項１２】
前記第一の移動体、および前記第二の移動体は、自動車、バイク、自転車、人のいずれかである請求項１１記載の撮影システム。
【請求項１３】
請求項１から請求項１２いずれか記載の撮影システムを構成する第一端末装置。
【請求項１４】
請求項１から請求項１２いずれか記載の撮影システムを構成する第二端末装置。
【請求項１５】
装置を識別する装置識別子を有する撮影要求指示が格納される撮影要求指示格納部と、
前記撮影要求指示格納部に格納されている撮影要求指示を送信する送信部と、
前記送信部による撮影要求指示の送信に応じて、当該撮影要求指示を受信した装置から撮影した結果を示す撮影結果情報を受信する受信部とを具備する端末装置。
【請求項１６】
撮影要求指示を受信する受信部と、
撮影し、撮影結果情報を取得する撮影部と、
前記撮影部が取得した撮影結果情報を送信する送信部とを具備する端末装置。
【請求項１７】
受信部と、撮影部と、送信部とを用いて行われる撮影方法であって、
前記受信部が、
撮影要求指示を受信する受信ステップと、
前記撮影部が、
撮影し、撮影結果情報を取得するステップと、
前記送信部が、
前記撮影部が取得した撮影結果情報を送信する送信ステップとを具備する撮影方法。
【請求項１８】
コンピュータを、
撮影要求指示を受信する受信部と、
撮影し、撮影結果情報を取得する撮影部と、
前記撮影部が取得した撮影結果情報を送信する送信部として機能させるためのプログラム。
【発明の詳細な説明】
【技術分野】
【０００１】
本発明は、他の装置からの要求に応じて撮影を行う撮影システム等に関するものである。
【背景技術】
【０００２】
従来、所定の被写体を撮影するデジタル一眼レフカメラ等が開発されている（非特許文献１参照）。
【先行技術文献】
【非特許文献】
【０００３】
【非特許文献１】“EOS 5D Mark III”、［online］、キヤノン株式会社、［２０１２年６月２２日検索］、インターネット［URL；http://cweb.canon.jp/camera/eosd/5dmk3/index.html］
【発明の概要】
【発明が解決しようとする課題】
【０００４】
従来のデジタル一眼レフカメラ等では、いわゆるリモコン等により遠隔から撮影することができた。しかしながら、従来のデジタル一眼レフカメラ等では、撮影の要求を受信し、当該要求に応じて撮影し、当該撮影の結果得られた写真等を、撮影を要求した装置を使用しているユーザのためにサーバにアップロードすることや、当該写真を、撮影を要求した装置に送信することなどができなかった。
【課題を解決するための手段】
【０００５】
本第一の発明の撮影システムは、第一端末装置と、第二端末装置とを具備する撮影システムであって、第一端末装置は、撮影を要求する指示である撮影要求指示が格納される撮影要求指示格納部と、撮影要求指示を第二端末装置に送信する第一送信部とを具備し、第二端末装置は、撮影要求指示を受信する第二受信部と、撮影し、撮影結果情報を取得する撮影部と、撮影部が取得した撮影結果情報を送信する第二送信部とを具備する撮影システムである。
【０００６】
このような構成により、撮影の要求を受信し、当該要求に応じて撮影し、当該撮影の結果得られた写真等を、撮影を要求した装置を使用しているユーザのためにサーバにアップロードすることや、当該写真を、撮影を要求した装置に送信することなどができる。
【０００７】
また、本第二の発明の撮影システムは、第一の発明に対して、第一送信部は、撮影要求指示を、自動的に送信する撮影システムである。
【０００８】
このような構成により、撮影の要求を、自動的に送信することができる。
【０００９】
また、本第三の発明の撮影システムは、第一または第二の発明に対して、撮影要求指示格納部には、第一端末装置を識別する装置識別子を有する撮影要求指示が格納され、第二送信部は、撮影部が取得した撮影結果情報を、第二受信部が受信した撮影要求指示が有する装置識別子と対応付けて、サーバ装置に送信し、第一端末装置は、装置識別子が対応付いている撮影結果情報を、サーバ装置から受信する第一受信部をさらに具備する撮影システムである。
【００１０】
このような構成により、撮影の結果得られた写真等を、撮影を要求した装置を使用しているユーザのためにサーバにアップロードすることができる。
【００１１】
また、本第四の発明の撮影システムは、第一または第二の発明に対して、第二送信部は、撮影部が取得した撮影結果情報を、撮影要求指示を送信してきた第一端末装置に送信し、第一端末装置は、第二端末装置から送信された撮影結果情報を受信する第一受信部をさらに具備する撮影システムである。
【００１２】
このような構成により、撮影の結果得られた写真等を、撮影を要求した装置に直接、送信することができる。
【００１３】
また、本第五の発明の撮影システムは、第一から第四いずれかの発明に対して、第二端末装置は、一の撮影に対する料金を示す情報である料金情報が格納される料金情報格納部と、第二受信部が撮影要求指示を受信した場合に、料金情報格納部に格納されている料金情報を用いて課金処理を行う課金処理部とをさらに具備する撮影システムである。
【００１４】
このような構成により、要求に応じた撮影に対する対価を徴収することができる。
【００１５】
また、本第六の発明の撮影システムは、第一から第五いずれかの発明に対して、第二端末装置は、撮影時の状況に関する条件であり、撮影するか否かを判断するための条件である撮影可否判断条件が格納される撮影条件格納部と、撮影時の状況を示す撮影時状況情報を取得する撮影時状況情報取得部と、撮影時状況情報取得部が取得した撮影時状況情報が、撮影条件格納部に格納されている撮影可否判断条件に合致するか否かを判断する撮影判断部とをさらに具備し、撮影部は、撮影判断部が合致すると判断した場合に撮影し、撮影結果情報を取得する撮影システムである。
【００１６】
このような構成により、周囲の状況に応じて撮影を行うことができる。
【００１７】
また、本第七の発明の撮影システムは、第一から第五いずれかの発明に対して、第二端末装置は、撮影時の状況に関する条件であり、撮影時の属性を選択するための条件である撮影時属性選択条件と、撮影時の属性を示す撮影時属性情報とを有する１以上の撮影時属性管理情報が格納される撮影条件格納部と、撮影時の状況を示す撮影時状況情報を取得する撮影時状況情報取得部と、撮影時状況情報取得部が取得した撮影時状況情報が、撮影条件格納部に格納されている１以上の撮影時属性管理情報が有する撮影時属性選択条件のいずれに合致するか否かを判断する撮影判断部と、撮影判断部が合致すると判断した撮影時属性選択条件に対応する撮影時属性情報を、撮影条件格納部から取得する第二属性情報取得部とをさらに具備し、撮影部は、第二属性情報取得部が取得した撮影時属性情報に従い撮影し、撮影結果情報を取得する撮影システムである。
【００１８】
このような構成により、周囲の状況に適した撮影を行うことができる。
【００１９】
また、本第八の発明の撮影システムは、第一から第七いずれかの発明に対して、第一端末装置は、撮影要求指示の送信時の状況に関する条件であり、撮影要求指示を送信するか否かを判断するための条件である送信可否判断条件が格納される送信条件格納部と、撮影要求指示の送信時の状況を示す送信時状況情報を取得する送信時状況情報取得部と、送信時状況情報取得部が取得した送信時状況情報が、送信条件格納部に格納されている送信可否判断条件に合致するか否かを判断する送信判断部とをさらに具備し、第一送信部は、送信判断部が合致すると判断した場合に撮影要求指示格納部に格納されている撮影要求指示を送信する撮影システムである。
【００２０】
このような構成により、周囲の状況に応じて撮影を要求することができる。
【００２１】
また、本第九の発明の撮影システムは、第一から第七いずれかの発明に対して、第一端末装置は、撮影要求指示の送信時の状況に関する条件であり、撮影時の属性を選択するための条件である撮影時属性選択条件と、撮影時の属性を示す撮影時属性情報とを有する１以上の撮影時属性管理情報が格納される送信条件格納部と、撮影要求指示の送信時の状況を示す送信時状況情報を取得する送信時状況情報取得部と、送信時状況情報取得部が取得した送信時状況情報が、送信条件格納部に格納されている１以上の撮影時属性管理情報が有する撮影時属性選択条件のいずれに合致するか否かを判断する送信判断部と、送信判断部が合致すると判断した撮影時属性選択条件に対応する撮影時属性情報を、送信条件格納部から取得する第一属性情報取得部とをさらに具備し、第一送信部は、第一属性情報取得部が取得した撮影時属性情報を有する撮影要求指示を送信し、撮影部は、第二受信部が受信した撮影要求指示が有する撮影時属性情報に従い撮影し、撮影結果情報を取得する撮影システムである。
【００２２】
このような構成により、周囲の状況に適した撮影を要求することができる。
【００２３】
また、本第十の発明の撮影システムは、第一から第七いずれかの発明に対して、撮影要求指示格納部には、撮影時の属性を示す撮影時属性情報を有する撮影要求指示が格納され、撮影部は、第二受信部が受信した撮影要求指示が有する撮影時属性情報に従い撮影し、撮影結果情報を取得する撮影システムである。
【００２４】
このような構成により、所望の撮影結果となるべく撮影を行うことを要求することができる。
【００２５】
また、本第十一の発明の撮影システムは、第一から第十いずれかの発明に対して、第一端末装置は、第一の移動体に設置され、第二端末装置は、第二の移動体に設置される撮影システムである。
【００２６】
このような構成により、他の装置からの要求に応じて、撮影を要求した装置が設置されている移動体を撮影することができる。
【００２７】
また、本第十二の発明の撮影システムは、第十一の発明に対して、第一の移動体、および第二の移動体は、自動車、バイク、自転車、人のいずれかである撮影システムである。
【００２８】
このような構成により、他の装置からの要求に応じて、撮影を要求した装置が設置されている自動車、バイク、自転車、人のいずれかを撮影することができる。
【発明の効果】
【００２９】
本発明による撮影システム等によれば、撮影の要求を受信し、当該要求に応じて撮影し、当該撮影の結果得られた写真等を、撮影を要求した装置を使用しているユーザのためにサーバにアップロードすることや、当該写真を、撮影を要求した装置に送信することなどができる。これにより、ユーザは、例えば、自身が所有していない撮影装置に撮影を要求し、その結果を取得することができる。また、例えば、要求に応じて撮影する撮影装置を観光地などに設置することで、第三者に撮影を依頼することなく記念撮影をすることや、観光地の活性化を図ることなどができる。また、例えば、バイクなどの移動体に当該撮影装置を設置することで、対向車線を走行する移動体に自身を撮影してもらうことができ、通常、ユーザ個人では撮影できない写真を撮影したりすることができる。
【図面の簡単な説明】
【００３０】
【図１】実施の形態１における撮影システム１の概念図
【図２】同第一端末装置１１のブロック図
【図３】同第二端末装置１２のブロック図
【図４】同第一端末装置１１の全体動作について説明するフローチャート
【図５】同第二端末装置１２の全体動作について説明するフローチャート
【図６】同送信可否判断条件の例を示す図
【図７】同撮影時属性管理情報の例を示す図
【図８】実施の形態２における撮影システム２の概念図
【図９】同サーバ装置２３のブロック図
【図１０】同第一端末装置２１の全体動作について説明するフローチャート
【図１１】同第二端末装置２２の全体動作について説明するフローチャート
【図１２】同サーバ装置２３の全体動作について説明するフローチャート
【図１３】上記実施の形態におけるコンピュータシステムの概観図
【図１４】上記実施の形態におけるコンピュータシステムのブロック図
【発明を実施するための形態】
【００３１】
以下、本発明による撮影システム等の実施形態について図面を参照して説明する。なお、実施の形態において同じ符号を付した構成要素は同様の動作を行うので、再度の説明を省略する場合がある。また、本実施の形態において説明する各情報の形式、内容などは、あくまで例示であり、各情報の持つ意味を示すことができれば、形式、内容などは問わない。
【００３２】
（実施の形態１）
本実施の形態において、第一端末装置からの要求に応じて、第二端末装置が撮影し、当該撮影の結果を第一端末装置に送信する撮影システム１について説明する。
【００３３】
図１は、本実施の形態における撮影システム１の概念図である。図１において、第一端末装置１１と、第二端末装置１２とは、ネットワーク５１を介して接続されている。第一端末装置１１、および第二端末装置１２は、例えば、スマートフォンや、携帯電話、携帯型のゲーム機、カーナビゲーション装置などである。なお、第二端末装置１２は、撮影機能を有する。また、図１において、第一端末装置１１、第二端末装置１２のそれぞれは、移動体（それぞれ、第一の移動体、第二の移動体）に設置されていてもよい。移動体に設置されている場合、第一端末装置１１、第二端末装置１２のそれぞれは、通常、進行方向から左右９０°の範囲の方向に向いて設置されている。なお、第一端末装置１１、第二端末装置１２のそれぞれは、進行方向から左右９０°の範囲のうち、対向車線がある側の範囲の方向に向いて設置されていることが好適である。また、当該移動体は、例えば、自動車（いわゆる車両）や、バイク、自転車などである。なお、当該移動体には、人を含んでもよい。また、当該移動体は、バイクであることが好適である。また、ネットワーク５１は、通常、車車間通信用の無線通信回線であるが、例えば、無線ＬＡＮや、Ｂｌｕｅｔｏｏｔｈ（登録商標）などの無線通信回線であってもよい。
【００３４】
また、第一端末装置１１は、通常、撮影を要求する指示である撮影要求指示を、いわゆるブロードキャストで送信する。また、第二端末装置１２は、ブロードキャストで送信されている撮影要求指示を受信し、当該撮影要求指示に応じて、撮影する。当該撮影の対象は、通常、第二端末装置１２の前方に位置する対象物である。また、第一端末装置１１が第一の移動体に設置されている場合、撮影の対象は、第一の移動体およびそのユーザであることが好適である。そして、第二端末装置１２は、撮影した結果を第一端末装置１１に送信する。第一端末装置１１に送信する場合、第一端末装置１１と第二端末装置１２とは、いわゆるアドホック通信ができる状態にある。また、一の第一端末装置１１は、撮影要求指示を、通常、一の第二端末装置１２に送信するが、２以上の第二端末装置１２に送信してもよい。また、一の第二端末装置１２は、撮影要求指示を、通常、一の第一端末装置１１から受信するが、２以上の第一端末装置１１から受信してもよい。
【００３５】
図２は、本実施の形態における第一端末装置１１のブロック図である。第一端末装置１１は、撮影要求指示格納部１１１、送信条件格納部１１２、送信時状況情報取得部１１３、送信判断部１１４、第一属性情報取得部１１５、第一送信部１１６、第一受信部１１７を備える。
【００３６】
また、図３は、本実施の形態における第二端末装置１２のブロック図である。第二端末装置１２は、撮影条件格納部１２１、料金情報格納部１２２、第二受信部１２３、撮影時状況情報取得部１２４、撮影判断部１２５、第二属性情報取得部１２６、撮影部１２７、第二送信部１２８、課金処理部１２９を備える。
【００３７】
撮影要求指示格納部１１１には、撮影を要求する指示である撮影要求指示が格納される。撮影要求指示は、例えば、第一端末装置１１を識別する装置識別子である第一端末装置識別子を有していてもよい。装置識別子は、例えば、ＩＰアドレスや、ＭＡＣアドレス、電話番号、メールアドレスなどである。装置識別子は、第一端末装置１１や、第二端末装置１２などの装置を識別することができるものであれば、その内容や形式などは、問わない。また、撮影要求指示は、例えば、第一端末装置１１を使用しているユーザを識別するユーザ識別子を有していてもよい。ユーザ識別子は、例えば、いわゆるＷｅｂサービスにログインするためのログインＩＤなどである。
【００３８】
また、撮影要求指示は、例えば、後述の撮影部１２７が撮影する際の属性を示す撮影時属性情報を有していてもよい。撮影時属性情報は、通常、撮影時の各種設定や、設定値（パラメータ）などを示す情報である。撮影時属性情報は、例えば、ＩＳＯ感度や、シャッタースピード、絞り値、ホワイトバランス、明るさの補正度合、コントラストの補正度合、撮影モードなどを示す情報である。明るさの補正度合とは、例えば、明るくすることや、暗くすることなどである。また、コントラストの補正度合とは、コントラストを上げることや、コントラストを下げることなどである。また、撮影時属性情報は、例えば、モノクロにすることや、セピア調にすること、所定の寸法にすること、所定の容量にすることなどを示す情報であってもよい。また、撮影時属性情報は、撮影を行うことや、撮影を行わないことを示す情報であってもよい。また、撮影時属性情報は、撮影の条件を示す情報であることから、撮影条件としてもよい。
【００３９】
また、撮影要求指示格納部１１１に撮影要求指示が蓄積される過程は問わない。撮影要求指示格納部１１１には、通常、予め撮影要求指示が格納されているが、例えば、受付部（図示せず）が撮影要求指示を受け付け、当該撮影要求指示が、撮影要求指示格納部１１１に蓄積されてもよい。
【００４０】
送信条件格納部１１２は、撮影要求指示を送信するか否かを判断するための条件である１以上の送信可否判断条件が格納される。送信可否判断条件は、通常、撮影要求指示の送信時の状況に関する条件である。当該送信時の状況を示す情報は、送信時状況情報である。従って、送信可否判断条件とは、送信時状況情報の条件である。
【００４１】
送信時状況情報は、例えば、天候や、周囲の明るさ、第一端末装置１１の移動速度、第一の移動体の速度などを示す情報である。天候の分類の仕方は、問わない。また、明るさの単位は、問わない。また、速度の単位は、問わない。つまり、送信時状況情報は、撮影に影響を与える可能性のある外的要因を示す情報であり、送信可否判断条件は、当該外的要因に関する条件である。
【００４２】
また、送信条件格納部１１２には、撮影時の属性を選択するための条件である撮影時属性選択条件と、撮影時の属性を示す撮影時属性情報とを有する１以上の撮影時属性管理情報も格納される。撮影時属性選択条件は、通常、撮影要求指示の送信時の状況に関する条件である。なお、撮影時属性選択条件の形式や内容などは、送信可否判断条件の形式や内容などと同様であるので、説明を省略する。
【００４３】
送信時状況情報取得部１１３は、送信時状況情報を取得する。送信時状況情報取得部１１３は、通常、送信時状況情報を自動的に取得する。「自動的に取得する」とは、ユーザからの指示なしに取得することである。また、送信時状況情報取得部１１３は、通常、所定のタイミングで複数回、送信時状況情報を取得する。「所定のタイミング」とは、定期的、または不定期的である。また、送信時状況情報取得部１１３は、通常、温度計や、湿度計、雲量計、照度計、速度測定器、速度計などの装置から送信時状況情報を取得する。また、送信時状況情報取得部１１３は、例えば、これらの装置を有していてもよいし、外部の装置（図示せず）から送信時状況情報を受信してもよい。また、送信時状況情報取得部１１３の処理手順は、通常、ソフトウェアで実現され、当該ソフトウェアはＲＯＭ等の記録媒体に記録されている。
【００４４】
送信判断部１１４は、送信時状況情報取得部１１３が取得した送信時状況情報が、送信条件格納部１１２に格納されている１以上の送信可否判断条件のいずれかに合致するか否かを判断する。そして、合致する場合、送信判断部１１４は、撮影要求指示格納部１１１に格納されている撮影要求指示を送信すると判断する。また、合致しない場合、送信判断部１１４は、撮影要求指示格納部１１１に格納されている撮影要求指示を送信しないと判断する。また、送信判断部１１４は、例えば、送信時状況情報が送信可否判断条件に合致する場合に、撮影要求指示格納部１１１に格納されている撮影要求指示を送信しないと判断してもよい。この場合、送信判断部１１４は、送信時状況情報が送信可否判断条件に合致しない場合に、撮影要求指示格納部１１１に格納されている撮影要求指示を送信すると判断する。
【００４５】
例えば、送信時状況情報が、天候を示す「晴」であり、送信可否判断条件が「天候＝晴」であるとする。この場合、送信判断部１１４は、当該送信時状況情報が当該送信可否判断条件に合致すると判断する。
【００４６】
また、例えば、送信時状況情報が、第一端末装置１１の移動速度を示す「５０ｋｍ／ｈ」であり、送信時属性選択条件が「移動速度≧４５ｋｍ／ｈ」であるとする。この場合、送信判断部１１４は、当該送信時状況情報が当該送信時属性選択条件に合致すると判断する。
【００４７】
第一属性情報取得部１１５は、送信判断部１１４が、送信時状況情報合致すると判断した撮影時属性選択条件に対応する撮影時属性情報を、送信条件格納部１１２から取得する。「撮影時属性選択条件に対応する撮影時属性情報」とは、送信条件格納部１１２において、当該撮影時属性条件を有する撮影時属性管理情報が有する撮影時属性情報である。例えば、送信判断部１１４が、送信時状況情報取得部１１３が取得した送信時状況情報が撮影時属性選択条件「天候＝（晴ｏｒ曇）」に合致すると判断した場合、第一属性情報取得部１１５は、当該撮影時属性選択条件に対応付いている撮影時属性情報を取得する。
【００４８】
第一送信部１１６は、撮影要求指示格納部１１１に格納されている撮影要求指示を第二端末装置１２に送信する。当該「送信」は、通常、いわゆるブロードキャストでの送信であるが、送信相手を特定しての送信であってもよい。「ブロードキャストでの送信」とは、例えば、無線ＬＡＮのアクセスポイントによるビーコン信号の送信などと同様の送信や、ネットワーク５１を介して第一端末装置１１と接続されている１以上の第二端末装置１２への送信などである。
【００４９】
また、第一送信部１１６は、例えば、受付部（図示せず）が撮影要求指示を送信することの指示を受け付けた場合に、撮影要求指示を送信する。また、第一送信部１１６は、例えば、撮影要求指示を自動的に送信してもよい。「自動的に送信する」とは、ユーザからの指示なしに送信することである。また、自動的に送信する場合、送信時状況情報取得部１１３は、通常、所定のタイミングで複数回、撮影要求指示を送信する。「所定のタイミング」とは、定期的、または不定期的である。
【００５０】
また、第一送信部１１６は、例えば、送信判断部１１４が、撮影要求指示を送信すると判断した場合に、撮影要求指示を送信してもよい。この場合、通常、受付部が撮影要求指示を送信することの指示を受け付けた場合や、自動的に送信するタイミングであっても、送信判断部１１４が、撮影要求指示を送信すると判断しない限り、第一送信部１１６は、撮影要求指示を送信しない。
【００５１】
また、第一送信部１１６は、例えば、第一属性情報取得部１１５が取得した撮影時属性情報を有する撮影要求指示を送信してもよい。この場合、第一送信部１１６は、通常、撮影時属性情報を有さない撮影要求指示を、撮影要求指示格納部１１１から取得する。そして、第一送信部１１６は、取得した撮影要求指示に、第一属性情報取得部１１５が取得した撮影時属性情報を含め、当該撮影要求指示を送信する。
【００５２】
第一受信部１１７は、撮影部１２７が撮影した結果を示す撮影結果情報を受信する。撮影した結果（以下、適宜、撮影結果）とは、通常、画像や、映像などである。つまり、撮影結果情報は、通常、いわゆる画像データや、映像データなどである。なお、当該画像データや、映像データなどの形式などは、問わない。
【００５３】
また、第一受信部１１７が受信する撮影結果情報は、通常、第二端末装置１２から送信されたものである。また、当該撮影結果情報は、第一受信部１１７が受信後、任意の記憶領域や所定の記憶領域などに蓄積されてもよい。
【００５４】
撮影条件格納部１２１には、撮影するか否かを判断するための条件である１以上の撮影可否判断条件が格納される。撮影可否判断条件は、通常、撮影時の状況に関する条件である。当該撮影時の状況を示す情報は、撮影時状況情報である。従って、撮影可否判断条件とは、撮影時状況情報の条件である。
【００５５】
撮影時状況情報は、例えば、天候や、周囲の明るさ、第二端末装置１２の移動速度、第二の移動体の速度などを示す情報である。天候の分類の仕方は、問わない。また、明るさの単位は、問わない。また、速度の単位は、問わない。つまり、撮影時状況情報は、撮影に影響を与える可能性のある外的要因を示す情報であり、撮影可否判断条件は、当該外的要因に関する条件である。
【００５６】
なお、撮影時状況情報の形式や内容などは、送信時状況情報の形式や内容などと同様である。従って、撮影可否判断条件の形式や内容なども、送信可否判断条件の形式や内容などと同様である。
【００５７】
また、撮影条件格納部１２１には、撮影時の属性を選択するための条件である撮影時属性選択条件と、撮影時の属性を示す撮影時属性情報とを有する１以上の撮影時属性管理情報も格納される。撮影時属性選択条件は、通常、撮影時の状況に関する条件である。なお、撮影時属性選択条件の形式や内容などは、撮影可否判断条件の形式や内容などと同様であるので、説明を省略する。
【００５８】
料金情報格納部１２２には、一の撮影に対する料金を示す情報である料金情報が格納される。料金情報格納部１２２に料金情報が蓄積される過程は問わない。料金情報格納部１２２には、通常、予め料金情報が格納されているが、例えば、第二受信部１２３が受信した撮影要求情報が料金情報を有しており、当該料金情報が、料金情報格納部１２２に蓄積されてもよい。
【００５９】
第二受信部１２３は、撮影要求指示を受信する。当該撮影結果情報は、通常、第一端末装置１１から送信されたものである。
【００６０】
撮影時状況情報取得部１２４は、撮影時状況情報を取得する。撮影時状況情報取得部１２４は、通常、撮影時状況情報を自動的に取得する。「自動的に取得する」とは、ユーザからの指示なしに取得することである。また、撮影時状況情報取得部１２４は、通常、所定のタイミングで複数回、送信時状況情報を取得する。「所定のタイミング」とは、定期的、または不定期的である。また、撮影時状況情報取得部１２４は、例えば、第二受信部１２３による撮影要求指示の受信に応じて撮影時状況情報を取得してもよい。また、撮影時状況情報取得部１２４は、通常、温度計や、湿度計、雲量計、照度計、速度測定器、速度計などの装置から撮影時状況情報を取得する。また、撮影時状況情報取得部１２４は、例えば、これらの装置を有していてもよいし、外部の装置（図示せず）から撮影時状況情報を受信してもよい。また、撮影時状況情報取得部１２４の処理手順は、通常、ソフトウェアで実現され、当該ソフトウェアはＲＯＭ等の記録媒体に記録されている。
【００６１】
撮影判断部１２５は、撮影時状況情報取得部１２４が取得した撮影時状況情報が、撮影条件格納部１２１に格納されている１以上の撮影可否判断条件のいずれかに合致するか否かを判断する。そして、合致する場合、撮影判断部１２５は、撮影すると判断する。また、合致しない場合、撮影判断部１２５は、撮影しないと判断する。また、撮影判断部１２５は、例えば、撮影時状況情報が撮影可否判断条件に合致する場合に、撮影しないと判断してもよい。この場合、撮影判断部１２５は、撮影時状況情報が撮影可否判断条件に合致しない場合に、撮影すると判断する。
【００６２】
また、撮影判断部１２５は、撮影時状況情報取得部１２４が取得した撮影時状況情報が、撮影条件格納部１２１に格納されている１以上の撮影時属性管理情報が有する撮影時属性選択条件のいずれに合致するか否かも判断する。撮影判断部１２５は、通常、撮影すると判断した場合に、撮影時状況情報が１以上の撮影時属性管理情報が有する撮影時属性選択条件のいずれに合致するか否かを判断する。
【００６３】
例えば、撮影時状況情報が、天候を示す「晴」であり、撮影可否判断条件が「天候≠雨」であるとする。この場合、撮影判断部１２５は、当該撮影時状況情報が当該撮影可否判断条件に合致すると判断する。
【００６４】
また、例えば、撮影時状況情報が、第二端末装置１２の移動速度を示す「５０ｋｍ／ｈ」であり、撮影時属性選択条件が「移動速度≦６０ｋｍ／ｈ」であるとする。この場合、撮影判断部１２５は、当該撮影時状況情報が当該撮影時属性選択条件に合致すると判断する。
【００６５】
また、撮影判断部１２５は、通常、第二受信部１２３による撮影要求指示の受信に応じて、撮影時状況情報が１以上の撮影可否判断条件のいずれかに合致するか否かを判断する。また、撮影判断部１２５は、撮影時状況情報が１以上の撮影時属性選択条件のいずれに合致するかの判断について、第二受信部１２３による撮影要求指示の受信に応じて判断してもよいし、撮影時状況情報が１以上の撮影可否判断条件のいずれかに合致すると判断した場合に判断してもよい。
【００６６】
第二属性情報取得部１２６は、撮影判断部１２５が、撮影時状況情報が合致すると判断した撮影時属性選択条件に対応する撮影時属性情報を、撮影条件格納部１２１から取得する。「撮影時属性選択条件に対応する撮影時属性情報」とは、撮影条件格納部１２１において、当該撮影時属性条件を有する撮影時属性管理情報が有する撮影時属性情報である。例えば、撮影判断部１２５が、撮影時状況情報取得部１２４が取得した撮影時状況情報が撮影時属性選択条件「天候＝（晴ｏｒ曇）」に合致すると判断した場合、第二属性情報取得部１２６は、当該撮影時属性選択条件に対応付いている撮影時属性情報を取得する。
【００６７】
撮影部１２７は、撮影し、当該撮影の結果を示す撮影結果情報を取得する。撮影部１２７は、通常、撮影部１２７の前方に位置する対象物を撮影する。対象物とは、例えば、山、川、海、その他の建造物などである。また、対象物は、例えば、第二受信部１２３が受信した撮影要求指示を送信した第一端末装置１１であってもよい。また、第一端末装置１１が第一の移動体に設置されている場合、対象物は、第一の移動体およびそのユーザであることが好適である。
【００６８】
また、撮影部１２７は、通常、第二受信部１２３による撮影要求指示の受信に応じて撮影を行う。この場合、撮影部１２７は、通常、第二受信部１２３が撮影要求指示を受信するたびに撮影を行う。また、撮影部１２７は、例えば、撮影判断部１２５が、撮影時状況情報が撮影可否判断条件に合致する（撮影する）と判断した場合に、撮影してもよい。この場合、通常、第二受信部１２３が撮影要求指示を受信した場合であっても、撮影判断部１２５が、撮影すると判断しない限り、撮影部１２７は、撮影しない。
【００６９】
また、撮影部１２７は、第二受信部１２３が受信した撮影要求指示が有する撮影結果情報や、第二属性情報取得部１２６が取得した撮影時属性情報などに従い撮影してもよい。「撮影時属性情報に従う」とは、撮影時の属性（設定）を、当該撮影時属性情報が示す属性に合わせることである。
【００７０】
例えば、撮影時属性情報が「シャッタースピード：１／２００秒」である場合、撮影部１２７は、シャッタースピードを「１／２００秒」に設定する。また、例えば、撮影時属性情報が「逆光モード：ＯＮ」である場合、撮影部１２７は、逆光でも綺麗に撮影できるモードである逆光モードを「ＯＮ」に設定する。また、例えば、撮影時属性情報が「明るさ＋２」である場合、撮影部１２７は、撮影時の明るさを「２」上げる。また、例えば、撮影時属性情報が「セピア」である場合、撮影部１２７は、セピア調に撮影するモードであるセピアモードを「ＯＮ」に設定する。
【００７１】
また、撮影部１２７は、例えば、取得した撮影結果情報に、第二受信部１２３が受信した撮影要求指示が有する第一端末装置識別子を対応付けてもよい。また、撮影部１２７は、例えば、第二端末装置１２を識別する装置識別子である第二端末装置識別子を保持しており、当該第二端末装置識別子を、取得した撮影結果情報に対応付けてもよい。
【００７２】
なお、撮影部１２７は、通常、ＣＭＯＳやＣＣＤなどのイメージセンサ（固体撮像素子）や、イメージセンサを用いたカメラ（デジタルスチルカメラ、デジタルビデオカメラ）などで実現され得る。
【００７３】
第二送信部１２８は、撮影部１２７が取得した撮影結果情報を送信する。また、第二送信部１２８は、通常、第二受信部１２３が受信した撮影要求指示を送信してきた第一端末装置１１に送信する。また、第二受信部１２３が受信した撮影要求指示が装置識別子を有する場合、第二送信部１２８は、通常、当該装置識別子で識別される第一端末装置１１に、撮影結果情報を送信する。
【００７４】
また、第二送信部１２８は、例えば、いわゆるブロードキャストで撮影結果情報を送信してもよい。この場合、第二送信部１２８は、通常、第二受信部１２３が受信した撮影要求指示が有する装置識別子を対応付けて、撮影結果情報を受信する。どの第一端末装置１１からの撮影要求指示に応じて撮影した結果であるかを判別できるようにするためである。
【００７５】
課金処理部１２９は、料金情報格納部１２２に格納されている料金情報を用いて、一の撮影に対する課金処理を行う。課金処理とは、例えば、ＥＴＣ（Ｅｌｅｃｔｒｏｎｉｃ  Ｔｏｌｌ  Ｃｏｌｌｅｃｔｉｏｎ  Ｓｙｓｔｅｍ）により料金情報が示す料金の収受を行うことや、いわゆるクレジットカードにより料金情報が示す料金の決済を行うこと、クレジットカードの情報と料金情報とを、クレジットカードによる決済を行うＷｅｂサービスに送信することなどである。また、課金処理は、例えば、課金処理部１２９が残高を示す残高情報を保持しており、当該残高情報から、料金情報を減算することであってもよい。
【００７６】
また、課金処理部１２９は、通常、第二送信部１２８による撮影結果情報の送信に応じて課金処理を行う。この場合、課金処理部１２９は、通常、第二送信部１２８が撮影結果情報を送信するたびに課金処理を行う。また、課金処理部１２９は、例えば、第二受信部１２３による撮影要求指示の受信に応じて撮影時状況情報を取得してもよい。この場合、課金処理部１２９は、通常、第二受信部１２３が撮影要求指示を受信するたびに課金処理を行う。
【００７７】
また、撮影要求指示格納部１１１、送信条件格納部１１２、撮影条件格納部１２１、料金情報格納部１２２は、不揮発性の記録媒体が好適であるが、揮発性の記録媒体でも実現可能である。また、撮影要求指示格納部１１１などに所定の情報が記憶される過程は、問わない。例えば、当該所定の情報は、記録媒体や、通信回線、入力デバイスなどを介して撮影要求指示格納部１１１などに記憶されてもよい。
【００７８】
また、送信判断部１１４、第一属性情報取得部１１５、撮影判断部１２５、第二属性情報取得部１２６、課金処理部１２９は、通常、ＭＰＵやメモリ等から実現され得る。送信判断部１１４などの処理手順は、通常、ソフトウェアで実現され、当該ソフトウェアはＲＯＭ等の記録媒体に記録されている。但し、ハードウェア（専用回路）で実現してもよい。
【００７９】
また、第一送信部１１６、第二送信部１２８は、通常、無線または有線の通信手段で実現されるが、放送手段で実現されてもよい。
【００８０】
また、第一受信部１１７、第二受信部１２３は、通常、無線または有線の通信手段で実現されるが、放送を受信する手段で実現されてもよい。
【００８１】
次に、撮影システム１の全体動作について、フローチャートを用いて説明する。なお、所定の情報におけるｉ番目の情報は、「情報［ｉ］」と記載するものとする。まず、第一端末装置１１の全体動作について、図４のフローチャートを用いて説明する。なお、図４のフローチャートにおいて、送信条件格納部１１２には、ｍ個の送信可否判断条件が格納されているものとする。
【００８２】
（ステップＳ４０１）第一送信部１１６は、撮影要求指示格納部１１１に撮影要求指示が格納されているか否かを判断する。格納されている場合は、ステップＳ４０２に進み、そうでない場合は、ステップＳ４０１に戻る。
【００８３】
（ステップＳ４０２）第一送信部１１６は、撮影要求指示の送信のタイミングであるか否かを判断する。当該判断は、例えば、撮影要求指示を定期的に送信することが予め決められている場合は、当該定期的なタイミングであるか否かを判断する。そして、送信のタイミングである場合は、ステップＳ４０３に進み、そうでない場合は、ステップＳ４０２に戻る。
【００８４】
（ステップＳ４０３）送信時状況情報取得部１１３は、撮影時状況情報を取得する。
【００８５】
（ステップＳ４０４）送信判断部１１４は、ステップＳ４０３で取得した撮影時状況情報が、送信条件格納部１１２に格納されているｍ個の送信可否判断条件のいずれかに合致するか否かを判断する。合致する場合は、ステップＳ４０５に進み、そうでない場合は、ステップＳ４０１に戻る。
【００８６】
（ステップＳ４０５）第一送信部１１６は、撮影要求指示格納部１１１に格納されている撮影要求指示を第二端末装置１２に送信する。
【００８７】
（ステップＳ４０６）第一端末装置１１は、第一受信部１１７が第二端末装置１２から撮影結果情報を受信したか否かを判断する。受信した場合は、ステップＳ４０１に戻り、そうでない場合は、ステップＳ４０６に戻る。
【００８８】
なお、図４のフローチャートにおいて、電源オフや処理終了の割り込みにより処理を終了してもよい。
【００８９】
次に、第二端末装置１２の全体動作について、図５のフローチャートを用いて説明する。なお、図５のフローチャートにおいて、撮影条件格納部１２１には、ｎ個の撮影可否判断条件と、ｍ個の撮影時属性管理情報とが格納されているものとする。
【００９０】
（ステップＳ５０１）撮影時状況情報取得部１２４は、第二受信部１２３が撮影要求指示を受信したか否かを判断する。受信した場合は、ステップＳ５０２に進み、そうでない場合は、ステップＳ５０１に戻る。
【００９１】
（ステップＳ５０２）撮影時状況情報取得部１２４は、撮影時状況情報を取得する。
【００９２】
（ステップＳ５０３）撮影判断部１２５は、ステップＳ５０２で取得した撮影時状況情報が、撮影条件格納部１２１に格納されているｎ個の撮影可否判断条件のいずれかに合致するか否かを判断する。合致する場合は、ステップＳ５０４に進み、そうでない場合は、ステップＳ５０１に戻る。
【００９３】
（ステップＳ５０４）第二属性情報取得部１２６は、カウンタｉに１をセットする。
【００９４】
（ステップＳ５０５）第二属性情報取得部１２６は、ステップＳ５０２で取得した撮影時状況情報が、撮影条件格納部１２１に格納されている撮影時属性管理情報［ｉ］が有する撮影時属性選択条件（撮影時属性選択条件［ｉ］）に合致するか否かを判断する。合致する場合は、ステップＳ５０６に進み、そうでない場合は、ステップＳ５０７に進む。
【００９５】
（ステップＳ５０６）第二属性情報取得部１２６は、撮影時属性管理情報［ｉ］が有する撮影時属性情報（撮影時属性情報［ｉ］）を撮影条件格納部１２１から取得する。
【００９６】
（ステップＳ５０７）第二属性情報取得部１２６は、ｉがｍであるか否かを判断する。ｍである場合は、ステップＳ５０９に進み、そうでない場合は、ステップＳ５０８に進む。
【００９７】
（ステップＳ５０８）第二属性情報取得部１２６は、ｉを１インクリメントし、ステップＳ５０５に戻る。
【００９８】
（ステップＳ５０９）撮影部１２７は、撮影し、撮影結果情報を取得する。
【００９９】
（ステップＳ５１０）第二送信部１２８は、ステップＳ５０９で取得した撮影結果情報を、ステップＳ５０１で受信した撮影要求指示を送信してきた第一端末装置１１に送信する。
【０１００】
（ステップＳ５１１）課金処理部１２９は、料金情報格納部１２２に料金情報が格納されているか否かを判断する。格納されている場合は、ステップＳ５１２に進み、そうでない場合は、ステップＳ５０１に戻る。
【０１０１】
（ステップＳ５１２）課金処理部１２９は、料金情報格納部１２２に格納されている料金情報を用いて、課金処理を行う。
【０１０２】
なお、図５のフローチャートにおいて、電源オフや処理終了の割り込みにより処理を終了してもよい。
【０１０３】
（具体例）
次に、撮影システム１の動作の具体例について説明する。なお、本具体例において、送信条件格納部１１２には、図６に示す送信可否判断条件が格納されているものとする。当該送信可否判断条件（項目名：条件）には、レコードを一意に特定するためのＩＤ（項目名：ＩＤ）が対応付いている。また、撮影条件格納部１２１には、図７に示す撮影時属性管理情報が格納されているものとする。当該撮影時属性管理情報は、レコードを一意に特定するためのＩＤ（項目名：ＩＤ）と、撮影時属性選択条件（項目名：条件）と、撮影時属性情報（項目名：撮影時属性）とを有する。
【０１０４】
（例１）
本例において、第一端末装置１１は、スマートフォンであるものとする。また、第二端末装置１２は、デジタル一眼レフカメラであるものとする。また、第一端末装置１１と第二端末装置１２とは、いわゆる赤外線通信により通信を行なうものとする。
【０１０５】
まず、デジタル一眼カメラが、三脚と共に任意の場所に設置されているものとする。そして、スマートフォンを所持しているユーザが、当該デジタル一眼カメラの前方、２０ｍの距離の場所にいるとする。そして、当該ユーザが、当該スマートフォンを操作し、自身を撮影する指示をデジタル一眼カメラに送信するための操作を行ったとする。すると、スマートフォンの撮影要求指示格納部１１１に、撮影要求指示が格納される。
【０１０６】
次に、送信時状況情報取得部１１３は、送信時状況情報を取得する。ここで、送信時状況情報取得部１１３は、天候を示す送信時状況情報「晴」を取得したものとする。
【０１０７】
次に、送信判断部１１４は、送信時状況情報取得部１１３が取得した送信時状況情報「晴」が、図６の「ＩＤ＝０１１」の送信可否判断条件「天候≠雨」に合致すると判断する。そして、第一送信部１１６は、撮影要求指示格納部１１１に格納されている撮影要求指示を、デジタル一眼カメラに送信する。
【０１０８】
次に、デジタル一眼カメラの第二受信部１２３は、スマートフォンから送信された撮影要求指示を受信する。そして、撮影時状況情報取得部１２４は、当該受信に応じて、撮影時状況情報を取得する。ここで、撮影時状況情報取得部１２４は、天候、被写体であるユーザまでの距離、ユーザの移動速度のそれぞれを示す撮影時状況情報「晴」、「２０ｍ」、「０ｋｍ／ｈ」を取得したものとする。
【０１０９】
次に、第二属性情報取得部１２６は、撮影時状況情報取得部１２４が取得した３つの撮影時状況情報「晴」、「２０ｍ」、「０ｋｍ／ｈ」が、図８の「ＩＤ＝０１２」の撮影時状況条件「（天候＝晴）＆（距離≧２０ｍ）」に合致すると判断する。そして、第二属性情報取得部１２６は、図８の「ＩＤ＝０１２」の撮影時属性情報「ホワイトバランス＝晴天用」を取得する。
【０１１０】
次に、撮影部１２７は、第二属性情報取得部１２６が取得した撮影時属性情報「ホワイトバランス＝晴天用」に従い、ホワイトバランスの設定を「晴天用」にセットする。そして、撮影部１２７は、ユーザを撮影し、撮影結果情報である画像データ（写真）を取得する。そして、第二送信部１２８は、撮影部１２７が取得した画像データを、スマートフォンに向けて送信する。
【０１１１】
次に、スマートフォンの第一受信部１１７は、デジタル一眼カメラから送信された画像データを受信する。そして、当該画像データは、スマートフォンのディスプレイに表示される。
【０１１２】
また、例えば、撮影時状況情報取得部１２４が、天候、被写体であるユーザの輝度、ユーザの移動速度のそれぞれを示す撮影時状況情報「晴」、「１６０」、「４０ｋｍ／ｈ」を取得したとする。この場合、第二属性情報取得部１２６は、これらの撮影時状況情報が、図８の「ＩＤ＝０１３」の撮影時状況情報「（天候＝晴）＆（輝度≧１５０）＆（移動速度≧４０ｋｍ／ｈ）」に合致すると判断する。そして、第二属性情報取得部１２６は、図８の「ＩＤ＝０１３」の撮影時属性情報「ＩＳＯ感度＝ａｕｔｏ，シャッタースピード＝１／２０００」を取得する。そして、撮影部１２７は、これらの当該撮影時属性情報に従い、ＩＳＯ感度の設定を「ａｕｔｏ」に、シャッタースピードを「１／２０００秒」にセットし、ユーザを撮影する。
【０１１３】
また、例えば、撮影時状況情報取得部１２４が、天候、被写体であるユーザの輝度、ユーザの移動速度のそれぞれを示す撮影時状況情報「曇」、「１３０」、「５ｋｍ／ｈ」を取得したとする。この場合、第二属性情報取得部１２６は、これらの撮影時状況情報が、図８の「ＩＤ＝０１４」の撮影時状況情報「（天候＝曇）＆（輝度≧１２５）＆（移動速度≦５０ｋｍ／ｈ）」に合致すると判断する。そして、第二属性情報取得部１２６は、図８の「ＩＤ＝０１４」の撮影時属性情報「ＩＳＯ感度＝４００，シャッタースピード＝１／８００，Ｆ値＝５．６」を取得する。そして、撮影部１２７は、これらの当該撮影時属性情報に従い、ＩＳＯ感度の設定を「４００」に、シャッタースピードを「１／８００秒」に、Ｆ値を「５．６」にセットし、ユーザを撮影する。
【０１１４】
また、例えば、デジタル一眼カメラの第二受信部１２３が、スマートフォンから撮影時属性情報「セピア調」を有する撮影要求指示を受信したとする。この場合、撮影部１２７は、上記の様な撮影時属性情報による設定の変更に加え、当該撮影時属性情報に従い、「セピア調」で撮影するモードをＯＮにし、ユーザを撮影する。
【０１１５】
また、例えば、料金情報格納部１２２に、１回の撮影において徴収する料金を示す料金情報「￥５００」が格納されているとする。この場合、デジタル一眼カメラの第二受信部１２３は、クレジットカード番号を有する撮影要求指示を受信する。そして、課金処理部１２９は、撮影部１２７が画像データを取得するたびに、料金情報格納部１２２に格納されている料金情報「￥５００」と、クレジットカード番号を、クレジットカード決済を行うＷｅｂサービスに送信し、課金処理を行う。
【０１１６】
（例２）
本例において、第一端末装置１１、第二端末装置１２は、例１と同様であるものとする。
【０１１７】
まず、例１と同様の状況において、ユーザが、スマートフォンを操作し、自身を撮影する指示をデジタル一眼カメラに送信するための操作を行ったとする。すると、スマートフォンの撮影要求指示格納部１１１に、撮影要求指示が格納される。当該撮影要求指示は、当該スマートフォンを識別するための装置識別子「ＡＣ：ＥＧ：ＸＸ：ＹＹ：ＺＺ」を有しているものとする。そして、送信時状況情報取得部１１３と、送信判断部１１４が例１と同様の取得、および判断を行なったとする。すると、第一送信部１１６は、当該撮影要求指示を、デジタル一眼カメラに送信する。
【０１１８】
次に、例１と同様に、撮影部１２７がユーザを撮影し、撮影結果情報である画像データを取得したとする。すると、第二送信部１２８は、当該画像データを、第二受信部１２３が受信した撮影要求指示が有する装置識別子「ＡＣ：ＥＧ：ＸＸ：ＹＹ：ＺＺ」で識別されるスマートフォンに送信する。
【０１１９】
次に、スマートフォンの第一受信部１１７は、画像データを受信する。そして、当該画像データは、スマートフォン内の所定の記憶領域に蓄積される。そして、ユーザは、スマートフォンにインストールされているアプリなどで、当該蓄積された画像データを閲覧する。
【０１２０】
（例３）
本例において、第一端末装置１１および第二端末装置１２は、それぞれ、異なるバイク（第一のバイク、第二のバイク）に設置されているものとする。また、第一端末装置１１は、バイク用のカーナビ（以下、カーナビ）であるものとする。また、第二端末装置１２は、車載用のカメラ（以下、カメラ）であるものとする。
【０１２１】
まず、第一のバイクのユーザ（ライダー）が、運転を開始する前に、カーナビを操作し、自身を撮影する指示を他のバイクに設置されているカメラに送信するための操作を行ったとする。すると、カーナビの撮影要求指示格納部１１１に、撮影要求指示が格納される。当該撮影要求指示は、カーナビを識別する装置識別子「ｎａｖｉ＿Ｂ０１Ａ」を有しているものとする。そして、第一送信部１１６は、撮影要求指示格納部１１１に格納されている撮影要求指示の送信を開始する。当該送信は、定期的な送信である。また、当該撮影要求指示は、第一のバイク（カーナビ）から半径１０ｍの範囲内に送信されているものとする。
【０１２２】
次に、第一のバイクのユーザは、カーナビから撮影要求指示が定期的に送信されている状態で、走行を開始したとする。このとき、送信時状況情報取得部１１３は、撮影要求指示の定期的な送信に合わせ、送信時状況情報を定期的に取得する。そして、送信判断部１１４は、当該送信時状況情報が図６の送信可否判断条件のいずれかに合致するか否かを判断する。ここで、送信判断部１１４が、送信時状況情報が図６の送信可否判断条件のいずれにも合致しないと判断したとする。すると、第一送信部１１６は、撮影要求指示の送信を停止する。また、その後、送信判断部１１４が、送信時状況情報が図６の送信可否判断条件のいずれかに合致すると判断したとする。すると、第一送信部１１６は、撮影要求指示の送信を再開する。例えば、送信時状況情報取得部１１３が、第一のバイクの速度を示す送信時状況情報「５０ｋｍ／ｈ」を取得したとする。すると、送信判断部１１４は、当該送信時状況情報が、図６の「ＩＤ＝０１２」の送信可否判断条件「移動速度＜８０ｋｍ／ｈ」に合致すると判断する。
【０１２３】
次に、第一のバイクの前方から、カメラが設置された第二のバイクが接近してき、第一のバイクまでの距離が１０ｍになったとする。すると、当該カメラの第二受信部１２３は、撮影要求指示を受信する。そして、撮影部１２７は、当該受信に応じて、第一のバイクを撮影し、撮影結果情報である画像データ（写真）を取得する。
【０１２４】
次に、第二送信部１２８は、撮影部１２７が取得した画像データを、第二受信部１２３が受信した撮影要求指示が有する装置識別子「ｎａｖｉ＿Ｂ０１Ａ」で識別されるカーナビに送信する。
【０１２５】
次に、カーナビの第一受信部１１７は、画像データを受信する。そして、当該画像データは、カーナビの所定の記憶領域に蓄積される。そして、ユーザは、走行の終了後に、カーナビに蓄積された画像データを閲覧する。
【０１２６】
また、例えば、撮影部１２７が、第二受信部１２３による撮影要求指示の受信に関係なく、定期的に撮影を行っているとする。この場合、第二送信部１２８は、第二受信部１２３による撮影要求指示の受信に応じて、撮影部１２７が取得した画像データを、第二受信部１２３が受信した撮影要求指示が有する装置識別子「ｎａｖｉ＿Ｂ０１Ａ」で識別されるカーナビに送信する。
【０１２７】
以上、本実施の形態による撮影システム１によれば、撮影の要求に応じて撮影し、当該撮影の結果得られた写真等を、撮影を要求した装置に送信することができる。これにより、ユーザは、例えば、自身が所有していない撮影装置に撮影を要求し、その結果を取得することができる。また、例えば、要求に応じて撮影する撮影装置を観光地などに設置することで、第三者に撮影を依頼することなく記念撮影をすることや、観光地の活性化を図ることなどができる。また、例えば、バイクなどの移動体に当該撮影装置を設置することで、対向車線を走行する移動体に自身を撮影してもらうことができ、通常、ユーザ個人では撮影できない写真を撮影したりすることができる。
【０１２８】
（実施の形態２）
本実施の形態において、第一端末装置からの要求に応じて、第二端末装置が撮影し、当該撮影の結果をサーバ装置に送信する撮影システム２について説明する。
【０１２９】
図８は、本実施の形態における撮影システム２の概念図である。図８において、第一端末装置２１、第二端末装置２２のそれぞれは、実施の形態１における第一端末装置１１、第二端末装置１２と同様であるので、説明を省略する。また、第一端末装置２１および第二端末装置２２と、サーバ装置２３とは、ネットワーク５２を介して接続されている。サーバ装置２３は、通常、いわゆるオンラインアルバムや、オンラインストレージなどのサイト（サービス）を運用するサーバである。また、ネットワーク５２は、通常、インターネットやＬＡＮなどのいわゆるインフラ回線である。また、第二端末装置２２は、通常、撮影した結果をサーバ装置２３に送信する。
【０１３０】
本実施の形態における第一端末装置２１のブロック図は、図２の第一端末装置１１のブロック図において、「第一受信部１１７」を「第一受信部２１７」と読み替えたものである。第一端末装置２１は、撮影要求指示格納部１１１、送信条件格納部１１２、送信時状況情報取得部１１３、送信判断部１１４、第一属性情報取得部１１５、第一送信部１１６、第一受信部２１７を備える。
【０１３１】
また、本実施の形態における第二端末装置２２のブロック図は、図３の第二端末装置１２のブロック図において、「第二送信部１２８」を「第二送信部２２８」と読み替えたものである。第二端末装置２２は、撮影条件格納部１２１、料金情報格納部１２２、第二受信部１２３、撮影時状況情報取得部１２４、撮影判断部１２５、第二属性情報取得部１２６、撮影部１２７、第二送信部２２８、課金処理部１２９を備える。
【０１３２】
また、図９は、本実施の形態におけるサーバ装置２３のブロック図である。サーバ装置２３は、サーバ格納部２３１、サーバ受信部２３２、サーバ蓄積部２３３、サーバ取得部２３４、サーバ送信部２３５を備える。
【０１３３】
第一受信部２１７は、撮影結果情報を受信する。当該撮影結果情報は、通常、サーバ装置２３から送信されたものである。また、当該撮影結果情報は、例えば、撮影要求指示格納部１１１に格納されている撮影要求指示が有する装置識別子と同一の装置識別子が対応付いていてもよい。また、当該撮影結果情報は、第一受信部２１７が受信後、任意の記憶領域や所定の記憶領域などに蓄積されてもよい。
【０１３４】
第二送信部２２８は、撮影部１２７が取得した撮影結果情報を送信する。第二送信部２２８は、通常、当該撮影結果情報を、サーバ装置２３に送信する。また、第二送信部２２８は、通常、当該撮影結果情報を、第二受信部１２３が受信した撮影要求指示が有する装置識別子と対応付けて送信する。また、第二送信部２２８は、例えば、当該撮影結果情報を、第二受信部１２３が受信した撮影要求指示が有するユーザ識別子と対応付けて送信してもよい。
【０１３５】
サーバ格納部２３１には、撮影結果情報が格納される。
【０１３６】
サーバ受信部２３２は、撮影結果情報を受信する。当該撮影結果情報は、第二端末装置２２から送信されたものである。また、サーバ受信部２３２は、１以上の撮影結果情報を要求する指示である撮影結果要求指示を受信してもよい。当該撮影結果要求指示は、通常、当該撮影結果要求指示を送信してきた装置を識別する装置識別子や、当該装置を使用しているユーザを識別するユーザ識別子、撮影結果情報を識別する撮影結果識別子などを有する。
【０１３７】
サーバ蓄積部２３３は、サーバ受信部２３２が受信した撮影結果情報を、サーバ格納部２３１に蓄積する。サーバ蓄積部２３３は、例えば、蓄積時の日時を示す日時情報を対応付けて、サーバ受信部２３２が受信した撮影結果情報を蓄積してもよい。
【０１３８】
サーバ取得部２３４は、通常、サーバ受信部２３２による撮影結果要求指示の受信に応じて、当該撮影結果要求指示が有する装置識別子と同一の装置識別子が対応付いている撮影結果情報や、当該撮影結果要求指示が有するユーザ識別子と同一のユーザ識別子が対応付いている撮影結果情報、当該撮影結果要求指示が有する撮影結果識別子で識別される撮影結果情報などを、サーバ格納部２３１から取得する。
【０１３９】
サーバ送信部２３５は、サーバ受信部２３２が受信した撮影結果情報に対応付いている装置識別子で識別される装置に、当該受信した撮影結果情報を送信する。当該送信は、いわゆるプッシュ送信である。また、サーバ送信部２３５は、サーバ取得部２３４が取得した撮影結果情報を、サーバ受信部２３２が受信した撮影結果要求指示を送信してきた装置に送信する。このとき、撮影結果要求指示が装置識別子を有する場合、サーバ送信部２３５は、当該装置識別子で識別される装置に送信してもよい。当該送信は、いわゆるプル送信である。また、サーバ送信部２３５は、例えば、サーバ受信部２３２が受信した撮影結果情報に対応付いている情報に応じて、プッシュ送信かプル送信かを切り替えてもよい。例えば、サーバ受信部２３２が受信した撮影結果情報に装置識別子が対応付いている場合、サーバ送信部２３５は、プッシュ送信を行う。また、例えば、サーバ受信部２３２が受信した撮影結果情報に装置識別子が対応付いていない場合、サーバ送信部２３５は、プル送信を行う。
【０１４０】
また、第一受信部２１７は、通常、無線または有線の通信手段で実現されるが、放送を受信する手段で実現されてもよい。
【０１４１】
また、第二送信部２２８は、通常、無線または有線の通信手段で実現されるが、放送手段で実現されてもよい。
【０１４２】
また、サーバ格納部２３１は、不揮発性の記録媒体が好適であるが、揮発性の記録媒体でも実現可能である。また、サーバ格納部２３１に所定の情報が記憶される過程は、問わない。例えば、当該所定の情報は、記録媒体や、通信回線、入力デバイスなどを介してサーバ格納部２３１に記憶されてもよい。
【０１４３】
また、サーバ蓄積部２３３、サーバ取得部２３４は、通常、ＭＰＵやメモリ等から実現され得る。サーバ蓄積部２３３などの処理手順は、通常、ソフトウェアで実現され、当該ソフトウェアはＲＯＭ等の記録媒体に記録されている。但し、ハードウェア（専用回路）で実現してもよい。
【０１４４】
また、サーバ送信部２３５は、通常、無線または有線の通信手段で実現されるが、放送手段で実現されてもよい。
【０１４５】
また、サーバ受信部２３２は、通常、無線または有線の通信手段で実現されるが、放送を受信する手段で実現されてもよい。
【０１４６】
次に、撮影システム２の全体動作について、フローチャートを用いて説明する。なお、所定の情報におけるｉ番目の情報は、「情報［ｉ］」と記載するものとする。まず、第一端末装置２１の全体動作について、図１０のフローチャートを用いて説明する。なお、図１０のフローチャートにおいて、ステップＳ１００１からステップＳ１００５までのそれぞれの処理は、図４のフローチャートのステップＳ４０１からステップＳ４０５までのそれぞれの処理と同様であるので、説明を省略する。
【０１４７】
（ステップＳ１００６）第一端末装置１１は、第一受信部２１７がサーバ装置２３から撮影結果情報を受信したか否かを判断する。受信した場合は、ステップＳ１００１に戻り、そうでない場合は、ステップＳ１００７に進む。
【０１４８】
（ステップＳ１００７）第一送信部１１６は、撮影結果要求指示をサーバ装置２３に送信する。当該撮影結果要求指示は、第一送信部１１６が保持していてもよいし、任意の記憶領域や所定の記憶領域などに格納されていてもよい。
【０１４９】
（ステップＳ１００８）第一端末装置１１は、第一受信部２１７がサーバ装置２３から撮影結果情報を受信したか否かを判断する。受信した場合は、ステップＳ１００１に戻り、そうでない場合は、ステップＳ１００８に戻る。
【０１５０】
なお、図１０のフローチャートにおいて、電源オフや処理終了の割り込みにより処理を終了してもよい。
【０１５１】
次に、第二端末装置２２の全体動作について、図１１のフローチャートを用いて説明する。なお、図１１のフローチャートにおいて、ステップＳ１１１０以外のそれぞれの処理は、図５のフローチャートのステップＳ５１０以外のそれぞれの処理と同様であるので、説明を省略する。
【０１５２】
（ステップＳ１１１０）第二送信部２２８は、ステップＳ１１０９で取得した撮影結果情報を、サーバ装置２３に送信する。
【０１５３】
なお、図１１のフローチャートにおいて、電源オフや処理終了の割り込みにより処理を終了してもよい。
【０１５４】
次に、サーバ装置２３の全体動作について、図１２のフローチャートを用いて説明する。
【０１５５】
（ステップＳ１２０１）サーバ蓄積部２３３は、サーバ受信部２３２が撮影結果情報を受信したか否かを判断する。受信した場合は、ステップＳ１２０２に進み、そうでない場合は、ステップＳ１２０５に進む。
【０１５６】
（ステップＳ１２０２）サーバ蓄積部２３３は、ステップＳ１２０１で受信した撮影結果情報をサーバ格納部２３１に蓄積する。
【０１５７】
（ステップＳ１２０３）サーバ送信部２３５は、ステップＳ１２０２で蓄積した撮影結果情報に装置識別子が対応付いているか否かを判断する。対応付いている場合は、ステップＳ１２０４に進み、そうでない場合は、ステップＳ１２０５に進む。
【０１５８】
（ステップＳ１２０４）サーバ送信部２３５は、ステップＳ１２０２で蓄積した撮影結果情報を、当該撮影結果情報に対応付いている装置識別子で識別される第一端末装置２１に送信する。
【０１５９】
（ステップＳ１２０５）サーバ取得部２３４は、サーバ受信部２３２が撮影結果要求指示を受信した否かを判断する。受信した場合は、ステップＳ１２０６に進み、そうでない場合は、ステップＳ１２０１に戻る。
【０１６０】
（ステップＳ１２０６）サーバ取得部２３４は、ステップＳ１２０５で受信した撮影結果要求指示が有するログインＩＤと同一のログインＩＤが対応付いている撮影結果情報を、サーバ格納部２３１から取得する。
【０１６１】
（ステップＳ１２０７）サーバ送信部２３５は、ステップＳ１２０６で取得した撮影結果情報を、ステップＳ１２０５で受信した撮影結果要求指示を送信してきた第一端末装置２１に送信する。
【０１６２】
なお、図１２のフローチャートにおいて、電源オフや処理終了の割り込みにより処理を終了してもよい。
【０１６３】
（具体例）
次に、撮影システム２の動作の具体例について説明する。なお、本具体例において、撮影条件格納部１２１には、図６に示す送信可否判断条件が格納されているものとする。また、撮影条件格納部１２１には、図７に示す撮影時属性管理情報が格納されているものとする。また、実施の形態１の具体例において説明した動作や処理等については、適宜、省略する。
【０１６４】
（例１）
本例において、第一端末装置２１、第二端末装置２２は、実施の形態１の例１と同様であるものとする。また、サーバ装置２３は、オンラインアルバムのサービスを運用するサーバ（以下、アルバムサーバ）であるものとする。
【０１６５】
まず、デジタル一眼カメラが、三脚と共に任意の場所に設置されているものとする。そして、スマートフォンを所持しているユーザが、当該デジタル一眼カメラの前方、２０ｍの距離の場所にいるとする。そして、当該ユーザが、当該スマートフォンを操作し、自身を撮影する指示をデジタル一眼カメラに送信するための操作を行ったとする。すると、スマートフォンの撮影要求指示格納部１１１に、撮影要求指示が格納される。当該撮影要求指示は、当該スマートフォンを識別するための装置識別子「ＡＣ：ＥＧ：ＸＸ：ＹＹ：ＺＺ」を有しているものとする。
【０１６６】
次に、送信時状況情報取得部１１３が、送信時状況情報を取得したり、送信判断部１１４が、当該送信時状況情報が図６の送信可否判断条件のいずれかに合致するか否かを判断したりするが、当該処理は、実施の形態１の例１における処理と同様であるので、説明を省略する。
【０１６７】
次に、撮影部１２７は、ユーザを撮影し、撮影結果情報である画像データ（写真）を取得する。そして、第二送信部２２８は、撮影部１２７が取得した画像データを、第二受信部１２３が受信した撮影要求指示が有する装置識別子「ＡＣ：ＥＧ：ＸＸ：ＹＹ：ＺＺ」と対応付けて、アルバムサーバに送信する。
【０１６８】
次に、アルバムサーバのサーバ受信部２３２は、装置識別子「ＡＣ：ＥＧ：ＸＸ：ＹＹ：ＺＺ」が対応付いた画像データを受信する。そして、サーバ送信部２３５は、当該装置識別子で識別されるスマートフォンに、当該画像データを送信する。なお、このとき、サーバ蓄積部２３３は、サーバ受信部２３２が受信した画像データを、サーバ格納部２３１に蓄積してもよい。また、この場合、サーバ送信部２３５は、当該蓄積された画像データをスマートフォンに送信する。
【０１６９】
次に、スマートフォンの第一受信部２１７は、アルバムサーバから画像データを受信する。そして、当該画像データは、スマートフォンのディスプレイに表示される。
【０１７０】
（例２）
本例において、第一端末装置２１、第二端末装置２２、サーバ装置２３は、例１と同様であるものとする。
【０１７１】
まず、例１と同様の状況において、ユーザが、スマートフォンを操作し、自身を撮影する指示をデジタル一眼カメラに送信するための操作を行ったとする。すると、スマートフォンの撮影要求指示格納部１１１に、撮影要求指示が格納される。当該撮影要求指示は、オンラインアルバムのサービスにログインするためのＩＤ（以下、ログインＩＤ）「Ｕｓｅｒ００１」を有しているものとする。
【０１７２】
次に、送信時状況情報取得部１１３が、送信時状況情報を取得したり、送信判断部１１４が、当該送信時状況情報が図６の送信可否判断条件のいずれかに合致するか否かを判断したりするが、当該処理は、実施の形態１の例１における処理と同様であるので、説明を省略する。
【０１７３】
次に、撮影部１２７は、ユーザを撮影し、撮影結果情報である画像データ（写真）を取得する。そして、第二送信部２２８は、撮影部１２７が取得した画像データを、第二受信部１２３が受信した撮影要求指示が有するログインＩＤ「Ｕｓｅｒ００１」と対応付けて、アルバムサーバに送信する。
【０１７４】
次に、アルバムサーバのサーバ受信部２３２は、ログインＩＤ「Ｕｓｅｒ００１」が対応付いた画像データを受信する。そして、サーバ蓄積部２３３は、当該画像データをサーバ格納部２３１に蓄積する。
【０１７５】
次に、ユーザが、スマートフォンを操作し、ログインＩＤ「Ｕｓｅｒ００１」にてオンラインアルバムのサービスにログインし、自身のログインＩＤに対応する画像データが閲覧できるページにアクセスしたとする。すると、スマートフォンの第一送信部１１６は、当該ログインＩＤを有する撮影結果要求指示を、アルバムサーバに送信する。
【０１７６】
次に、サーバ受信部２３２は、ログインＩＤを有する撮影結果要求指示を受信する。そして、サーバ取得部２３４は、当該ログインＩＤと同一のログインＩＤが対応付いている画像データを、サーバ格納部２３１から取得する。そして、サーバ送信部２３５は、当該画像データを、撮影結果要求指示を送信してきたスマートフォンに送信する。
【０１７７】
次に、スマートフォンの第一受信部２１７は、画像データを受信する。そして、当該画像データは、スマートフォンのディスプレイに表示される。
【０１７８】
（例３）
本例において、第一端末装置２１、第二端末装置２２は、実施の形態１の例３と同様であるものとする。また、サーバ装置２３は、本具体例の例１と同様であるものとする。
【０１７９】
まず、第一のバイクのユーザ（ライダー）が、運転を開始する前に、カーナビを操作し、自身を撮影する指示を他のバイクに設置されているカメラに送信するための操作を行ったとする。すると、カーナビの撮影要求指示格納部１１１に、撮影要求指示が格納される。当該撮影要求指示は、カーナビを識別する装置識別子「ｎａｖｉ＿Ｂ０１Ａ」を有しているものとする。そして、第一送信部１１６は、撮影要求指示格納部１１１に格納されている撮影要求指示の送信を開始する。当該送信は、定期的な送信である。また、当該撮影要求指示は、第一のバイク（カーナビ）から半径１０ｍの範囲内に送信されているものとする。
【０１８０】
次に、送信時状況情報取得部１１３が、送信時状況情報を取得したり、送信判断部１１４が、当該送信時状況情報が図６の送信可否判断条件のいずれかに合致するか否かを判断したりするが、当該処理は、実施の形態１の例３における処理と同様であるので、説明を省略する。
【０１８１】
次に、第二送信部２２８は、撮影部１２７が取得した画像データを、第二受信部１２３が受信した撮影要求指示が有する装置識別子「ｎａｖｉ＿Ｂ０１Ａ」と対応付けて、アルバムサーバに送信する。
【０１８２】
次に、アルバムサーバのサーバ受信部２３２は、装置識別子「ｎａｖｉ＿Ｂ０１Ａ」が対応付いた画像データを受信する。そして、サーバ送信部２３５は、当該装置識別子で識別されるカーナビに、当該画像データを送信する。
【０１８３】
次に、カーナビの第一受信部２１７は、アルバムサーバから画像データを受信する。そして、当該画像データは、カーナビの所定の記憶領域に蓄積される。そして、ユーザは、走行の終了後に、カーナビに蓄積された画像データを閲覧する。
【０１８４】
以上、本実施の形態による撮影システム２によれば、撮影の要求に応じて撮影し、当該撮影の結果得られた写真等を、撮影を要求した装置を使用しているユーザのためにサーバにアップロードすることができる。これにより、ユーザは、例えば、自身が所有していない撮影装置に撮影を要求し、その結果を取得することができる。また、例えば、要求に応じて撮影する撮影装置を観光地などに設置することで、第三者に撮影を依頼することなく記念撮影をすることや、観光地の活性化を図ることなどができる。また、例えば、バイクなどの移動体に当該撮影装置を設置することで、対向車線を走行する移動体に自身を撮影してもらうことができ、通常、ユーザ個人では撮影できない写真を撮影したりすることができる。
【０１８５】
なお、上記各実施の形態において、周囲の状況に応じて撮影するか否かを判断する場合、送信可否判断条件および撮影可否判断条件は、いずれかが所定の記憶領域（送信条件格納部１１２または撮影条件格納部１２１）に格納されていればよい。
【０１８６】
また、上記各実施の形態において、第一端末装置１１および第一端末装置２１は、送信条件格納部１１２、送信判断部１１４を備えていなくてもよい。この場合、第一送信部１１６は、通常、撮影要求指示格納部１１１に格納されている撮影要求指示を、自動的に送信する。
【０１８７】
また、上記各実施の形態において、撮影条件格納部１２１には、撮影可否判断条件が格納されていなくてもよい。この場合、第二端末装置１２は、通常、撮影判断部１２５を備えない。また、この場合、撮影部１２７は、通常、第二受信部１２３による撮影要求指示の受信に応じて、撮影する。
【０１８８】
また、上記各実施の形態において、撮影条件格納部１２１には、撮影時属性管理情報が格納されていなくてもよい。この場合、第二端末装置１２は、通常、第二属性情報取得部１２６を備えない。また、撮影部１２７は、通常、撮影判断部１２５が撮影すると判断した場合に、撮影する。
【０１８９】
また、上記各実施の形態において、第二端末装置１２および第二端末装置２２は、撮影条件格納部１２１、撮影時状況情報取得部１２４、撮影判断部１２５、第二属性情報取得部１２６を備えていなくてもよい。この場合、撮影部１２７は、通常、第二受信部１２３による撮影要求指示の受信に応じて、撮影する。また、この場合、撮影部１２７は、例えば、所定の撮影時属性情報に従い撮影してもよい。当該撮影時属性情報は、撮影部１２７が保持していてもよいし、任意の記憶領域や所定の記憶領域などに格納されていてもよい。
【０１９０】
また、上記各実施の形態において、第二端末装置１２および第二端末装置２２は、料金情報格納部１２２、課金処理部１２９を備えていなくてもよい。
【０１９１】
また、上記各実施の形態において、一の装置に存在する２以上の通信手段は、物理的に一の媒体で実現されてもよいことは言うまでもない。
【０１９２】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０１９３】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１９４】
また、上記各実施の形態における第一端末装置を実現するソフトウェアは、例えば、以下のようなプログラムである。つまり、このプログラムは、記録媒体に、撮影を要求する指示である撮影要求指示が格納され、コンピュータを、前記記録媒体に格納されている撮影要求指示を送信する送信部として機能させるためのプログラムである。
【０１９５】
また、上記各実施の形態における第二端末装置を実現するソフトウェアは、例えば、以下のようなプログラムである。つまり、このプログラムは、コンピュータを、撮影要求指示を受信する受信部と、撮影し、撮影結果情報を取得する撮影部と、前記撮影部が取得した撮影結果情報を送信する送信部として機能させるためのプログラムである。
【０１９６】
また、上記各実施の形態におけるサーバ装置を実現するソフトウェアは、例えば、以下のようなプログラムである。つまり、このプログラムは、記録媒体に、撮影した結果を示す撮影結果情報が格納され、コンピュータを、所定の装置を識別する装置識別子が対応付いた撮影結果情報および装置識別子を有する撮影結果要求指示を受信する受信部と、前記受信部が受信した撮影結果情報を、前記記録媒体に蓄積する蓄積部と、前記受信部が受信した撮影結果要求指示が有する装置識別子と同一の装置識別子が対応付いた撮影結果情報を、前記記録媒体から取得する取得部と、前記受信部が受信した撮影結果情報に対応付いている装置識別子で識別される所定の装置に、当該撮影結果情報を送信する、または、前記受信部が受信した撮影結果要求指示が有する装置識別子で識別される所定の装置に、前記取得部が取得した撮影結果情報を送信する送信部として機能させるためのプログラムである。
【０１９７】
なお、上記プログラムにおいて、ハードウェアでしか行われない処理は少なくとも含まれない。
【０１９８】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１９９】
また、上記プログラムを実行するコンピュータは、単数であってもよいし、複数であってもよい。つまり、集中処理を行ってもよいし、あるいは分散処理を行ってもよい。
【０２００】
また、図１３は、前述のプログラムを実行して、前述の実施の形態の撮影システム等を実現するコンピュータシステム９の概観図である。前述の実施の形態は、コンピュータハードウェア及びその上で実行されるコンピュータプログラムで実現され得る。
【０２０１】
図１３において、コンピュータシステム９は、ＣＤ−ＲＯＭドライブ９０１１、ＦＤドライブ９０１２を含むコンピュータ９０１と、キーボード９０２と、マウス９０３と、モニタ９０４とを備える。
【０２０２】
図１４は、コンピュータシステム９のブロック図である。図１４において、コンピュータ９０１は、ＣＤ−ＲＯＭドライブ９０１１、ＦＤドライブ９０１２に加えて、ＭＰＵ９０１３と、ブートアッププログラム等のプログラムを記憶するためのＲＯＭ９０１４と、ＭＰＵ９０１３に接続され、アプリケーションプログラムの命令を一時的に記憶するとともに一時記憶空間を提供するためのＲＡＭ９０１５と、アプリケーションプログラム、システムプログラム、及びデータを記憶するためのハードディスク９０１６と、ＣＤ−ＲＯＭドライブ９０１１、ＦＤドライブ９０１２、ＭＰＵ９０１３等を相互に接続するバス９０１７とを備える。ここでは図示しないが、コンピュータ９０１は、さらに、ＬＡＮへの接続を提供するネットワークカードを備えていてもよい。
【０２０３】
コンピュータシステム９に、前述の実施の形態の撮影システム等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０２０４】
プログラムは、コンピュータ９０１に、前述の実施の形態の撮影システム等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０２０５】
本発明は、以上の実施の形態に限定されることなく、種々の変更が可能であり、それらも本発明の範囲内に包含されるものであることは言うまでもない。
【産業上の利用可能性】
【０２０６】
以上のように、本発明にかかる撮影システムは、撮影の結果得られた写真等を、撮影を要求した装置に送信することができるという効果を有し、自走行の様子を撮影するシステム等として有用である。
【符号の説明】
【０２０７】
１、２  撮影システム
１１、２１  第一端末装置
１２、２２  第二端末装置
２３  サーバ装置
１１１  撮影要求指示格納部
１１２  送信条件格納部
１１３  送信時状況情報取得部
１１４  送信判断部
１１５  第一属性情報取得部
１１６  第一送信部
１１７、２１７  第一受信部
１２１  撮影条件格納部
１２２  料金情報格納部
１２３  第二受信部
１２４  撮影時状況情報取得部
１２５  撮影判断部
１２６  第二属性情報取得部
１２７  撮影部
１２８、２２８  第二送信部
１２９  課金処理部
２３１  サーバ格納部
２３２  サーバ受信部
２３３  サーバ蓄積部
２３４  サーバ取得部
２３５  サーバ送信部
【図１】
2014022807.tif 000003
【図２】
2014022807.tif 000004
【図３】
2014022807.tif 000005
【図４】
2014022807.tif 000006
【図５】
2014022807.tif 000007
【図６】
2014022807.tif 000008
【図７】
2014022807.tif 000009
【図８】
2014022807.tif 000010
【図９】
2014022807.tif 000011
【図１０】
2014022807.tif 000012
【図１１】
2014022807.tif 000013
【図１２】
2014022807.tif 000014
【図１３】
2014022807.tif 000015
【図１４】
2014022807.tif 000016